(57)【要約】      （修正有）【課題】単純な構造で、かつ動作電力を使わないで生ゴミを処理することが出来る生ゴミ処理装置を提供する。【解決手段】生ゴミを角型筒状部材３の中に日毎に投入し、好気性微生物と混合させ、微生物資材５ａを被せておくだけで、有孔仕切り板８ａや、有孔円筒状部材６からの通気により好気性微生物が生ゴミを分解する環境が保たれ次々と分解が進む、また、投入に合せて微生物資材５ａが必要となるため、ハンドル操作により処理済混合生ゴミ５ｂを、下部に落下させ繰り返し微生物資材５ａとして再利用する。【選択図】      図４
2004321922.tif 000002
【特許請求の範囲】
【請求項１】
凹型に形成された載置台と、前記載置台に立接し、上端部を開放、下端部を回転により開放可能な有孔仕切り板を有する角型筒状部材と、前記記載の有孔仕切り板を回転させるためのハンドルと、
前記記載の角型筒状部材内四隅に垂直方向に有孔円筒状部材と、載置台内側に上部開放の箱型容器で構成され、前記角型筒状部材上端部から生ゴミを投入し、微生物資材と攪拌を行い下端部から処理済み混合生ゴミを取り出すことを特徴とする生ゴミ処理装置。
【請求項２】
前記記載の回転可能な有孔仕切り板は、細孔を有しており、通気させることと、ハンドルを回転させることで有孔仕切り板が回転し、内容物を一定量下部に落とすことを特徴とする請求項１に記載の生ゴミ処理装置。
【発明の詳細な説明】
【０００１】
【発明の属する技術分野】
本発明は、一般家庭、レストラン、幼稚園、小中学校等から廃棄される生ゴミを、微生物資材を用いて装置内で分解処理させるための生ゴミ処理装置に関する。
【０００２】
【従来の技術】
昨今、生ゴミは単に焼却場で燃やすのではなく、堆肥などに生まれ変わりつつあり、またバイオマスとして燃料としての取組みも始まっている、従来の一般家庭用の生ごみ処理装置として、発酵菌や微生物を利用した生ゴミ処理装置（生ゴミ処理器）がある。このような生ゴミ処理装置は、生ゴミを収納する筒状容器と、この筒状容器の内部で、生ゴミを攪拌する攪拌装置と、生ゴミを乾燥させるための加温装置や、臭いを発生させないための脱臭装置等を備えて構成されている。
【０００３】
このように構成された生ゴミ処理装置は、筒状容器の内部に予め生ゴミを分解する発酵菌や微生物等を投入して置き、生ゴミを投入した後、攪拌装置を用いて攪拌させて、生ゴミと発酵菌や微生物を混ぜ合わせながら、発酵菌や微生物に分解処理させている（例えば、特許文献１参照）。また、過熱して発酵適温にすることで発酵処理させている（例えば、特許文献２参照）
【０００４】
【特許文献１】
特開平０９−１４１２３６（全頁、第１図）
【特許文献２】
特開平０９−１８７７５４（全頁、第１図）
【０００５】
【発明が解決しようとする課題】
しかしながら、従来の生ゴミ処理装置は、攪拌装置、加温装置等を動作させるために動作電力が必要となり、動作電力が供給できる場所にしか設置することが出来ないという問題があった。
また、攪拌装置、加温装置等を制御する制御装置なども必要となり、構造が複雑になってしまうという問題があった。
【０００６】
また、生ゴミ処理に適用する好気性微生物は、これらの共生に必要な環境での生ゴミ処理が行われず、酸素不足による腐敗や悪臭事故を招くことがあった。
【０００７】
そこで、本発明は、単純な構造かつ動作電力を使わないで生ゴミを処理することが出来る生ゴミ処理装置を提供することを目的とする。
【０００８】
【課題を解決するための手段】
前記した課題を解決するため、本発明の生ゴミ処理装置は、凹型に形成された載置台と、前記載置台に立接し、上端部を開放、下端部を開放可能な有孔仕切り板を有する角型筒状部材と、
前記記載の有孔仕切り板を回転させるためのハンドルと、
前記記載の角型筒状部材内四隅に垂直方向に有孔円筒状部材と、載置台内側に上部開放の箱型容器で構成され、前記角型筒状部材上端部から生ゴミを投入し、微生物資材と攪拌を行い下端部から処理済み混合生ゴミを取り出すことを特徴とする。なお、混合生ゴミとは、生ゴミと微生物資材を混合攪拌したものである。また、前記記載の回転可能な有孔仕切り板は、細孔を有しており、通気させることと、ハンドルを回転させることで有孔仕切り板が回転し、内容物を一定量下部に落とすことを特徴とする。
【０００９】
ここで、微生物資材とは、オガクズに好気性微生物を住まわせた物で、生ゴミと混ぜる事によって、生ゴミ内に適度な空隙を作り出すことができる、その結果、好気性微生物が分解作用をするに適した環境となり、時間経過とともに生ゴミの分解処理をスムーズに行うことが出来る。なお、微生物は、特に限定されるものではなく、好気性細菌、通性嫌気性菌、放線菌、光合成細菌などの複合菌であり、主に好気性細菌の働きにより分解処理する。
【００１０】
また、有孔仕切り板は、多数の穴が開いていることで、空気を通過させることが出来るとともに混合生ゴミを受け止めていて、必要に応じてハンドル操作により有孔仕切り板を回転させ、混合生ゴミを落下させることが出来るよう構成されている。
その上、角型筒状部材四隅に有孔の円筒状部材を垂直に配し、角型筒状部材内混合生ゴミの通気の役目をなしている。これらは好気性微生物が生ゴミの分解活動がし易い環境を作っている。
【００１１】
本発明の生ゴミ処理装置によれば、微生物資材の中に生ゴミを投入し一度攪拌を行い、その上に微生物資材を被せておけば、後は攪拌する必要がなく、微生物に良好な環境下で分解処理させることが出来る。
【００１２】
【発明実施の形態】
以下、本発明の一実施形態を図に基づいて説明する。図１は、本実施形態における生ゴミ処理装置の構成を示した斜視図である。図２ａは、平面図。図２ｂは、有孔仕切り材８ａのＢ−Ｂ断面拡大斜視図である。図３は、図１に示した生ゴミ処理装置の側断面図。図４ａは、断面図。図４ｂは、有孔円筒状部材６の拡大図。
【００１３】
図１、図２に示すように、本発明の生ゴミ処理装置１は、載置台２と、この載置台２に立接された角型筒状部材３と、この角型部材３の下部に備えられた有孔仕切り材８ａと、有孔仕切り板を回転させるハンドル８と、角型筒状部材３の四隅に円筒形有孔部材６と、落下してくる処理済混合生ゴミ５ｂを収納する容器４とを備えて構成されている。
【００１４】
また、図３、図４に示すように、載置台２は、凹形状に形成され、開口部から角型筒状部材３の内部３ａに空気が流通できるように形成され、載置台２の長さは、角型筒状部材３の開口部より長く形成され、立接したとき載置台２の先端が角型筒状部材３より前方に突き出し上面が開放されている。また、載置台２の内側に処理済混合生ゴミ５ｂを収納する容器４を備えている。
【００１５】
角型筒状部材３は、４つの面で形成された筒状部材（図１参照）であり、角型筒状部材３の下部に有孔仕切り材８ａを備え、混合生ゴミが落下しないように支えている、また、有孔仕切り材８ａをハンドル８を用いて回転させることにより、処理済混合生ゴミ５ｂを一定量落下させることが出来る。
【００１６】
有孔仕切り材８ａは、図２（ｂ）拡大図に示すように多数の穴があいていて、空気の流通を可能にしている、また、ハンドル８は、有孔仕切り材８ａを回転させる役目と、混合生ゴミ５の重量を支える強度を有するよう構成されている。
【００１７】
有孔円筒状部材６は、図４（ｂ）拡大図に示すように多数の穴があいていて、通気を目的としている、また、均一に空気が通過できるよう角型筒状部材３の四隅に垂直に有孔円筒形部材６を配置した構成となっている。
【００１８】
次に、このように構成された生ゴミ処理装置において、図１及び図３・図４ａを用いて生ゴミの処理工程を詳細に説明する。
まず、生ゴミを角型筒状部材３の上部から投入し、前もって入れてある微生物資材とよく攪拌し均す、次に下部容器４にある微生物資材を約５センチメートル程度の厚み５ａ  を投入する、この厚さ約５センチメートルの微生物資材は脱臭と、虫除けの為に投入する。
【００１９】
次に生ゴミを投入する場合は、前回と同じく、生ゴミを角型筒状部材３の上部から投入し、前もって入れてある微生物資材とよく攪拌し均す、次に下部容器４にある微生物資材を約５センチメートルの厚みで投入する。
【００２０】
次に、角型筒状部材３の上端部まで混合生ゴミ５が詰まった状態において、角型筒状部材３の下端部から処理済混合生ゴミを下に落とす方法について詳細に説明する。
【００２１】
生ゴミ投入２回に１回程度、の頻度で処理済混合生ゴミを下に落とす、方法は、ハンドル８を操作し左右に回転させることで、処理済の混合生ゴミを角型筒状部材から載置台２の内側にある容器４に一定量落下させる。
【００２２】
容器４に落下した処理済混合生ゴミ５ｂは、好気性微生物によって分解されており、さらに熟成の後土壌改良剤や堆肥として使用することができる、また、取り出された処理済混合生ゴミ５ｂは、微生物がそのまま住み着いており、そのまま微生物資材として次の処理に繰り返し使用できる。
【００２３】
以上、本発明の一実施の形態について説明したが、本発明はこのような実施の形態のみにされるものでなく、本発明の技術的思想に基づく限りにおいて、種々の変形が可能である。
【００２４】
たとえば、実施の形態で角型塔状部材を用いたが、円筒状部材等の種々の形に変形した形状の生ゴミ処理装置でも、同様の効果を得ることができる。
【００２５】
【実施例】
次に、このように構成された生ゴミ処理装置の実施例を詳細に説明する。なお、生ゴミ処理装置の構成は、実施の形態において説明したものと同様であり、詳細な説明は省略する。
まず、角型筒状部材３の下端部に構成された、有孔仕切り材８ａが水平になるようセットする。その後、第１回目は微生物資材と生ゴミを約１：５でバケツ等を用いて攪拌し混合生ゴミを作成し、この混合生ゴミを角型筒状部材３の内部に投入する、次に、その上に微生物資材を約５センチメートル被せて均す。第２回目以降は、第１回目と同様に、次々と前回の上に重ねて投入していき、混合生ゴミが角型筒状部材３の８割程度まで達したら、生ゴミを直接、角型筒状部材３の中に投入し角型筒状部材３の中で前回被せた微生物資材とよく攪拌し、その後微生物資材を約５センチメートル被せて均す。
【００２６】
つづいて、ハンドル８を操作し左右に回転させることで、処理済の混合生ゴミを角型筒状部材３から載置台２の内側にある容器４内に一定量落下させる、容器４のなかに落ちた処理済の混合生ゴミ５ｂを次の生ゴミの投入時微生物資材として再利用、このことを繰り返して行い生ゴミを次々と処理する。
【００２７】
また、２〜３ヶ月に１回、容器４の内部から回収された処理済混合生ゴミ５ｂをふるいに掛け、オガクズと分け残ったものは、２ヶ月程度熟成の後、土壌改良剤や堆肥として使用することができ、また、オガクズは再度、生ゴミ処理装置に投入、微生物資材として繰り返し利用する。
【００２８】
この結果、この生ゴミ処理装置で分解処理した生ゴミは、当初の生ゴミ重量の１／１０〜１／３０に減量化することができる。
【００２９】
【発明の効果】
以上により、本発明の生ゴミ処理装置は、動作電力を必要とせず、生ゴミ発生の度ごとに、直接、角型筒状部材内に投入し、微生物資材と攪拌することで、生ゴミの量に左右されること無く良好な通気環境で、好気性微生物を用いて分解処理することができる。
また、角型筒状部材内を上から下まで、落下する間、途中の切り返しや攪拌を必要とせず時間の経過と共に混合生ゴミが好気性微生物により分解処理される。
【図面の簡単な説明】
【図１】本実施形態における生ゴミ処理装置の構成を示した斜視図である。
【図２】
（ａ）平面図
（ｂ）図２（ａ）内有孔仕切り板８ａのＢ−Ｂ断面斜視図
【図３】
図２のＡ―Ａ断面図
【図４】
（ａ）図２のＢ―Ｂ断面図
（ｂ）円筒状部材６の拡大図
【符号の説明】
１・・・生ゴミ処理装置
２・・・載置台
３・・・角型筒状部材
３ａ・・・角型筒状部材内部
４・・・生ゴミ取り出し容器
５・・・混合生ゴミ
５ａ・・・微生物資材（処理済混合生ゴミ）
５ｂ・・・処理済混合生ゴミ
６・・・有孔円筒状部材
７・・・有孔仕切り板固定枠
８・・・ハンドル
８ａ・・・有孔仕切り板
９・・・キャスター
９ａ・・・自在キャスター
１０・・・空気流通孔
【図１】
2004321922.tif 000003
【図２】
2004321922.tif 000004
【図３】
2004321922.tif 000005
【図４】
2004321922.tif 000006
【手続補正書】
【提出日】平成15年5月15日(2003.5.15)
【手続補正１】
【補正対象書類名】図面
【補正対象項目名】全図
【補正方法】変更
【補正の内容】
【図１】
2004321922.tif 000007
【図２】
2004321922.tif 000008
【図３】
2004321922.tif 000009
【図４】
2004321922.tif 000010